(57)【特許請求の範囲】
【請求項１】
上面が天板で覆われており、その天板にガスを燃料とするコンロバーナが設けられたコンロ装置において、ジェスチャーセンサを天板に設け、このジェスチャーセンサの検知エリアとして、検知エリアの全域における天板からの高さが予め設定された一定の高さになる所定の大きさの立体的な検知エリアを設定し、その検知エリアに侵入物が侵入した場合、侵入物の天板からの高さ、侵入方向、および侵入量をジェスチャーセンサで検知し、これらの検知結果に基づいてコンロバーナの火力を絞るようにしたことを特徴とするコンロ装置。
【請求項２】
上記ジェスチャーセンサを、上記コンロバーナの左右の少なくとも一方に並設したことを特徴とする請求項１に記載のコンロ装置。
【請求項３】
上記天板には２個のコンロバーナが左右に並べて設けられており、両コンロバーナの間に両コンロバーナ兼用の１個のジェスチャーセンサを設け、両コンロバーナのいずれか一方が燃焼状態の場合に、この兼用のジェスチャーセンサの検知エリアを、燃焼中のコンロバーナ側にシフトして設定することを特徴とする請求項１または請求項２に記載のコンロ装置。
【発明の詳細な説明】
【技術分野】
【０００１】
本発明は、天板にコンロバーナを備えたコンロ装置に関する。
【背景技術】
【０００２】
従来より、上面を覆う天板にガスを燃料とするコンロバーナを設けたコンロ装置が知られている。このコンロバーナを囲繞するように五徳を設け、鍋などの調理器具を五徳上に載置すると、調理器具とコンロバーナとの間に適度の距離が確保され、コンロバーナから放射状に形成される炎によって調理器具の底面が加熱されるように構成されている。
【０００３】
また、このようなコンロ装置では、コンロバーナの炎の大きさを大小変化させる火力調節部が設けられており、コンロバーナの火力を弱火から強火の間で調整できるように構成されている。
【０００４】
このようなコンロ装置では、調理器具が小さい場合や火力を強火にした場合には、調理器具の周囲から炎や熱気が溢れる状態になり、その溢れた炎や熱気に手や衣服が触れると不都合が生じるため、上記天板の奥側に近接センサを設け、手が五徳に近づいた場合にコンロバーナの火力を絞り、あるいは消火させるものが知られている（例えば、特許文献１参照）。なお、このものでは、近接センサに温度検知機能を持たせ、衣服の表面温度が高温になると、同じくコンロバーナの火力を絞り、あるいは消火するように構成されている。
【０００５】
また、コンロ装置の上方に設置される排気用のレンジフードに、コンロ装置を上方から撮像するカメラを設け、そのカメラによる撮像データを画像処理することにより、手や衣服がバーナに近接することを検知して警報を出力するものが知られている（例えば、特許文献２参照）。
【先行技術文献】
【特許文献】
【０００６】
【特許文献１】特開２００４−２９３９５３号公報（請求項２、請求項３）
【特許文献２】特開２０１３−１９０１９０号公報（請求項１）
【発明の概要】
【発明が解決しようとする課題】
【０００７】
上記特許文献１に記載のものでは、近接センサを用いて手の接近を検知し、手が五徳に近づいた場合に火力を絞っているが、手を近づければ本人が手の感覚から炎に近づいていることを知るので、ことさら近接センサで検知する必要はなく、逆に五徳に手が近づいただけで火力が絞られると、調理中に調理器に手を近づけただけで火力が絞られることになり、コンロ装置の使用勝手が悪くなる。
【０００８】
また、近接センサに温度検知機能を持たせて衣服の表面温度を検知しているが、近接センサと衣服との間にはコンロバーナが位置しており、炎による高温のため衣服の表面温度を検知しづらいという不具合が生じる。さらに、炎と衣服との間に調理器具が位置するので、衣服が調理器具の陰になり衣服の表面の温度を検知しづらい。
【０００９】
上記特許文献２に記載のものでは、レンジフードに取り付けたカメラで撮像しているが、油煙などがレンジフードに集まるので、カメラのレンズが油煙などで汚れやすいという不具合が生じる。また、上方から撮像しているので、上下方向の位置関係を検知しづらく、手がコンロバーナから上方に遠く離れていても警報を発するおそれがある。
【００１０】
そこで本発明は、上記の問題点に鑑み、衣服などのコンロバーナへの接近を適切に検知してコンロバーナの火力を減少させることのできるコンロ装置を提供することを課題とする。
【課題を解決するための手段】
【００１１】
上記課題を解決するために本発明によるコンロ装置は、上面が天板で覆われており、その天板にガスを燃料とするコンロバーナが設けられたコンロ装置において、ジェスチャーセンサを天板に設け、このジェスチャーセンサの検知エリアとして、検知エリアの全域における天板からの高さが予め設定された一定の高さになる所定の大きさの立体的な検知エリアを設定し、その検知エリアに侵入物が侵入した場合、侵入物の天板からの高さ、侵入方向、および侵入量をジェスチャーセンサで検知し、これらの検知結果に基づいてコンロバーナの火力を絞るようにしたことを特徴とする。
【００１２】
ジェスチャーセンサを用いれば、手が侵入物としてコンロバーナに対して単純に接近してきただけを検知するのではなく、上記検知エリアへの侵入方向や進入量を検知できるので、衣服がコンロバーナの炎や熱気によって過熱される状態を適切に検知することができる。なお、ここでコンロバーナの火力を絞るとは、文字通り火力を弱火へと絞るほか、消火することも含めた概念である。また、ジェスチャーセンサとしては、いずれのものを用いてもよいが、例えば、シャープ株式会社製の型番「ＧＰ２ＡＰ０５２Ａ００Ｆ」として知られているものを用いることができる。
【００１３】
ジェスチャーセンサの設置位置は適宜選択することができるが、上記ジェスチャーセンサを、上記コンロバーナの左右の少なくとも一方に並設することが望ましい。
【００１４】
また、上記天板には２個のコンロバーナが左右に並べて設けられており、両コンロバーナの間に両コンロバーナ兼用の１個のジェスチャーセンサを設け、両コンロバーナのいずれか一方が燃焼状態の場合に、この兼用のジェスチャーセンサの検知エリアを、燃焼中のコンロバーナ側にシフトして設定することが望ましい。
【発明の効果】
【００１５】
以上の説明から明らかなように、本発明は、ジェスチャーセンサを用いてコンロバーナへの手の接近を検知するようにしたので、衣服などのコンロバーナへの接近を適切に検知してコンロバーナの火力を減少させることができる。
【図面の簡単な説明】
【００１６】
【図１】本発明によるコンロ装置の一例を示す外観図
【図２】ジェスチャーセンサの検知エリアを示す図
【図３】検知エリアの切替を示す図
【図４】検知エリアへの手の侵入状態を示す図
【発明を実施するための形態】
【００１７】
図１を参照して、１は本発明によるコンロ装置の一例である。このコンロ装置は上面が天板１１で覆われており、その天板１１には３つのコンロバーナ１Ｒ，１Ｂ，１Ｌが設けられている。なお、本図では左側のコンロバーナ１Ｌ上に調理器具である鍋Ｐを載置している。そして、後述するジェスチャーセンサをＲ，Ｃ，Ｌで示す３個所に設置した。
【００１８】
これら各ジェスチャーセンサは各々一体のモジュールとなっており、赤外線を照射する発光部と、照射された赤外線が非検知物で反射した赤外線を受光する受光部とが設けられている。そして、受光部での受光位置から非検知物の位置を特定する。従って、ジェスチャーセンサは各ジェスチャーセンサ毎に設定された３次元の検知エリア内への侵入物の高さ、侵入方向、および侵入量を検知することができる。なお、天板１１が金属製の場合には、発光部および受光部が露出するように天板１１に窓穴を形成して、その窓穴に発光部および受光部が下方から臨むようにジェスチャーセンサを設ける。また、天板１１が透光性の有するガラス製の場合には、天板１１に窓穴を設けることなく、天板１１の下面側にジェスチャーセンサを配置する。
【００１９】
図２を参照して、ＥＲ，ＥＣ，ＥＬは各ジェスチャーセンサに設定された検知エリアである。これら３個所の検知エリアの内、中央のＥＲは両コンロバーナ１Ｒ，１Ｌ兼用のものであり、ＥＲはコンロバーナ１Ｒ専用のものであり、ＥＬはコンロバーナ１Ｌ専用のものである。
【００２０】
図３の（ａ）に示すように、左側のコンロバーナ１Ｌのみが燃焼している状態では、検知エリアＥＲは作動させず、検知エリアＥＣ，ＥＬのみを作動させる。ただし、中央の検知エリアＥＣは両コンロバーナ１Ｒ，１Ｌが共に燃焼状態であれば左右均等に設定するが、（ａ）に示すように、左側のコンロバーナ１Ｌのみが燃焼状態の時には左側に偏って設定する。
【００２１】
逆に、右側のコンロバーナ１Ｒのみが燃焼状態の場合には、（ｂ）に示すように、左側の検知エリアＥＬは設定せず、中央の検知エリアＥＣと右側の検知エリアＥＲとを作動させる。そして、その際には中央の検知エリアＥＣは右側に偏って設定する。
【００２２】
これら検知エリアよりも上方に手を差し伸べてもジェスチャーセンサはその手を検知しないのは当然である。検知エリアが検知する高さで手を差し伸べた場合の作動について、図４を参照して説明する。
【００２３】
図４は左側のコンロバーナ１Ｌのみが燃焼状態の場合を示している。この状態で、中央の検知エリアＥＣに手前側から奥に向かって手が侵入する場合、Ｈ１に示すように、手の先端が検知エリアＥＣに侵入したことを検知しても、コンロバーナ１Ｌの火力を変更しない。そして、Ｈ１の状態から手がさらに進んでＨ２に示す状態、すなわち、検知エリアＥＣを貫通するように手が侵入すると、図示しない制御部は自動的にコンロバーナ１Ｌの火力を弱火に絞る。なお、検知エリアＥＣから手が退出すれば、コンロバーナ１Ｌの火力を元の状態に戻す。
【００２４】
左側の検知エリアＥＬについても手前側から奥に向かって手が検知エリアＥＬに侵入した場合には、同様の火力調節が行われるが、さらに、左側から手が検知エリアＥＬに侵入してくる場合、手の先端だけが侵入しただけでは火力調節は行わないが、Ｈ３に示す状態から腕の部分が侵入してＨ４に示す状態、すなわち、手が検知エリアＥＬを貫通している状態になれば、上記と同様の火力調節を行う。
【００２５】
このように、本発明ではジェスチャーセンサを用いているので、手がコンロバーナに単に近づいたことで火力調節を行うのではなく、検知エリアに対する侵入量や侵入方向に基づいて、衣服が過熱されるおそれのある場合に火力を絞るように火力調節をするようにした。
【００２６】
なお、本発明は上記した形態に限定されるものではなく、本発明の要旨を逸脱しない範囲内において種々の変更を加えてもかまわない。
【符号の説明】
【００２７】
１  コンロ装置
１Ｌ  コンロバーナ
１Ｒ  コンロバーナ
１１  天板
ＥＬ  検知エリア
ＥＣ  検知エリア
ＥＲ  検知エリア
【図１】
0006354953.tif 000002
【図２】
0006354953.tif 000003
【図３】
0006354953.tif 000004
【図４】
0006354953.tif 000005